(57)【要約】【課題】タッチパネル付き液晶表示部の清掃時、指紋等の汚れが付着している場合と雨粒などの水滴が付着している場合に確認しやすい画像が異なり同一画像では、汚れ・水滴の視認性が悪いため付着物に応じて表示状態を変更しユーザが効率良く掃除できる画像表示装置の提供。【解決手段】タッチパネル付き画像再生装置において、前記座標検出手段からの検出を有効にする通常モードと前記座標検出手段からの検出を無効にする清掃モードを備え、前期通常モードと前期清掃モードを切り替えるモード選択手段と、表示手段への表示制御を行う表示制御手段と、前期表示手段への表示画像を処理する表示画像処理手段と、前期画像処理手段の輝度値を算出する輝度値算出手段と、前期輝度値算出手段の結果により輝度値を判断する輝度値判断手段を有し、前期輝度値判断手段の結果により、前期清掃モードでの前期表示手段への表示画像の変更を行う。【選択図】図３
2014052752.tif 000002
【特許請求の範囲】
【請求項１】
表示手段の表示画面上に透明なタッチパネルが重なるように配置され、該タッチパネル上でタッチされたタッチ位置の座標を座標検出手段により検出するタッチパネル付き画像再生装置において、前記座標検出手段からの検出を有効にする通常モードと前記座標検出手段からの検出を無効にする清掃モードを備え、前期通常モードと前期清掃モードを切り替えるモード選択手段と、表示手段への表示制御を行う表示制御手段と、前期表示手段への表示画像を処理する表示画像処理手段と、前期画像処理手段の輝度値を算出する輝度値算出手段と、前期輝度値算出手段の結果により輝度値を判断する輝度値判断手段を有し、前期輝度値判断手段の結果により、前期清掃モードでの前期表示手段への表示画像を変更することを特徴とする画像再生装置。
【請求項２】
前期輝度値判断手段は、前期モード選択手段に対して、前期清掃モードを選択した直前の前記表示手段に表示している画像より判断することを特徴とする請求項１に記載の画像再生装置。
【請求項３】
前期輝度値判断手段は、前期モード選択手段に対して、前期清掃モードを選択した領域の前記表示手段に表示している画像より判断することを特徴とする請求項１又は請求項２に記載の画像再生装置。
【請求項４】
前記表示制御手段は、前期輝度値判断手段の結果が所定の輝度値以上と判断した場合、明度の高い画像を前記表示手段へ表示制御し、前期輝度値判断手段の結果が所定の輝度値以下と判断した場合、明度の低い画像を前記表示手段へ表示制御することを特徴とする請求項１乃至請求項３の何れか１項に記載の画像再生装置。
【請求項５】
前記表示制御手段は、前期輝度値判断手段の結果が所定の輝度値以上と判断した場合、前期表示手段のバックライトの輝度を上げるように前記表示手段へ表示制御し、前期輝度値判断手段の結果が所定の輝度値以下と判断した場合、前期表示手段のバックライトの輝度を低減、もしくは消灯するように前記表示手段へ表示制御することを特徴とする請求項１乃至請求項３の何れか１項に記載の画像再生装置。
【請求項６】
前記表示制御手段は、前期輝度値判断手段の結果が所定の輝度値以上と判断した場合、輝度が上がるようにガンマカーブを変更制御し、前期輝度値判断手段の結果が所定の輝度値以下と判断した場合、輝度が下がるようにガンマカーブを変更制御することを特徴とする請求項１乃至請求項３の何れか１項に記載の画像再生装置。
【発明の詳細な説明】
【技術分野】
【０００１】
本発明は、液晶表示装置等のスクリーンの表面にタッチパネルが貼り付けられているタッチパネルを搭載した画像表示装置に関し、特に表示装置等の清掃を容易化した画像表示装置に関する。
【背景技術】
【０００２】
従来、タッチパネルを備える表示装置においては、画像やウェブから取得した情報等をディスプレイ画面に表示することができる。また、この種の表示装置においては、タッチパネルによってユーザが操作指示を行うことができる。ところが、タッチパネルは、指等で触れることによって操作が行われるため、指紋等の汚れが付着しやすい。そのため、タッチパネルを頻繁に掃除する必要がある。このタッチパネルの掃除に関する技術としては、特許文献１に開示されている。この技術は、「通常モード」から「掃除モード」に切り替わると、掃除を行いやすくするためにタッチセンサーでの動作を無効にし、また、汚れを見つけやすくするために、画面全体にわたって同一色を表示するとともに、その同一色を時間の経過に従って順次異なる色へ変化させる（特許文献１参照）。
【先行技術文献】
【特許文献】
【０００３】
【特許文献１】特開２００７−２６２４５号公報
【発明の概要】
【発明が解決しようとする課題】
【０００４】
しかしながら、上記特許文献１に記載の発明では、画像表示装置の清掃時、指紋等の汚れが付着している場合と雨粒などの水滴が付着している場合に確認しやすい画像が異なり表示色が同一では、汚れ・水滴の視認性が悪いためユーザが効率良く掃除することが難しかった。
【０００５】
本発明は、上記の点に鑑みてなされたもので、指紋等の汚れ付着か雨粒などの水滴付着を判断して表示状態を変更し拭き取り残りを確認しやすくすることで、ユーザが効率良く清掃できる画像表示装置を提供することを目的とする。
【課題を解決するための手段】
【０００６】
本発明に係る画像表示装置の構成は、表示手段の表示画面上に透明なタッチパネルが重なるように配置され、該タッチパネル上でタッチされたタッチ位置の座標を座標検出手段により検出するタッチパネル付き画像再生装置において、前記座標検出手段からの検出を有効にする通常モードと前記座標検出手段からの検出を無効にする清掃モードを備え、前期通常モードと前期清掃モードを切り替えるモード選択手段と、表示手段への表示制御を行う表示制御手段と、前期表示手段への表示画像を処理する表示画像処理手段と、前期画像処理手段の輝度値を算出する輝度値算出手段と、前期輝度値算出手段の結果により輝度値を判断する輝度値判断手段を有し、前期輝度値判断手段の結果により、前期清掃モードでの前期表示手段への表示画像を変更することを特徴とする。
【発明の効果】
【０００７】
本発明によれば、清掃モードに入る直前に表示していた画像より、指紋等の汚れ付着か雨粒などの水滴付着を判断し、付着物に応じて表示状態を変更し拭き取り残りを確認しやすくすることができるため、ユーザが効率良く清掃できる。
【図面の簡単な説明】
【０００８】
【図１】本発明の実施形態に係わる構成概念図である。
【図２】本発明の実施形態に係わる画像表示装置を表すブロック図である。
【図３】画像表示装置の清掃時の処理について示すフローチャートである。
【図４】各清掃モードにおける表示画像の一例である。
【発明を実施するための形態】
【０００９】
以下、本発明の実施の形態について、図面を参照して説明する。
【００１０】
図１に、本実施例のデジタルカメラの概要構成図を示す。
【００１１】
図１において、１は、デジタルカメラ本体、２は、本体に電源を入れる電源ＳＷ、３は、レリーズスイッチである。４は、撮影及び再生画像・シャッター速度や絞り数値撮影枚数情報の表示及び、ＫＥＹ操作を行うタッチパネル付き液晶パネルである。
【００１２】
図２は、図１に示すデジタルカメラの制御部の構成を示すブロック図である。図中、１１は、デジタルカメラ１を動作させる為、デジタルカメラ本体に電圧供給する電源供給部、１２は、デジタルカメラ全体を制御するためのＣＰＵ、１３は、画像を撮像する為のＣＣＤを含む撮像部、１４は、撮像した画像を処理する画像処理部、１５は、画像データを記憶する記憶部、１６は、撮影画像表示及びデジタルカメラ本体の状態を外部に知らせる為の液晶表示部、１７は、タッチパネルからの操作に応じて装置への操作を行うタッチパネル操作部、１８は、装置への操作を行う操作部である。
【００１３】
なお、図２には示されていないが、ＣＰＵ１２には、前記図１におけるデジタルカメラの撮影及び再生に必要な諸々の回路等がさらに接続されており、ＣＰＵ１２は、不図示のＲＯＭに格納された所定のプログラム動作で制御する。
【実施例１】
【００１４】
以上の構成を有する画像表示装置の清掃時の処理について図３に示すフローチャートを参考に説明する。
【００１５】
ステップ１０１にて、タッチパネル付き液晶パネル４に表示されている清掃モード移行表示にタッチされ清掃モード移行操作が行われたか判断する。ステップ１０１で清掃モード移行操作が行われなかった場合、通常動作を続ける。ステップ１０１にて、清掃モード移行ボタン操作が行われた場合、ステップ１０２に進み、清掃モード移行表示箇所にタッチされ清掃モード移行操作が行われた際の画像を記憶し、ステップ１０３でタッチパネル付き液晶４からの操作受付を禁止する。本実施例では、清掃モード移行の判断としてタッチパネル付き液晶パネル４に表示されている清掃モード移行表示にタッチされたかによって判断しているが、タッチ点に移動が有る場合やタッチ面積が広い場合に清掃していると判断して清掃モードに移行しても構わない。
【００１６】
次に、ステップ１０４にて清掃モードへ移行する。清掃モードでは、タッチパネルからの操作は、すべて禁止状態である。ステップ１０５で、ステップ１０２で記憶した掃モード移行表示にタッチされ清掃モード移行操作が行われた直前の画像全体平均輝度値を算出する。本実施例では、画像全体の平均輝度値としているが、前途したタッチ点に移動が有る場合やタッチ面積が広い場合に清掃していると判断する場合、タッチパネルにタッチされた領域の輝度値平均で判断しても良い。
【００１７】
ステップ１０６で、輝度値によって評価された画像が閾値以上か閾値以下か判断する。ステップ１０６で、輝度値が閾値以上の場合、ＬＣＤ輝度が高いことにより目立つ汚れ、例えば雨粒などの水滴が付着したことにより光の屈折で画像の視認性が悪くなる場合や水滴のレンズ作用により水滴の付着している箇所の画像が拡大して視認性が悪くなったと判断して、ステップ１０７で水滴清掃モードに移行する。ステップ１０８で水滴清掃モード用の表示画像をタッチパネル付き液晶パネル４にて表示する。水滴清掃モードの表示画像には、汚れ（付着物）が認識し易い明度が十分に高い色である図４（ａ）白一色の画像や水滴により光の屈折やレンズ効果で直線が歪んで認識し易い図４（ｂ・ｃ）縦や横のストライプ状の白黒画像を表示する。ステップ１０６で輝度値が閾値以下の場合、指紋などの手垢・手油による汚れは、透過光よりも反射光による方が目立ちやすいため表示している画像の視認性が低下したと判断し、ステップ１０９で、汚れ清掃モードに移行し、ステップ１１０で指紋などの手垢・手油による汚れによる清掃モード用の画像を表示する。清掃モード用の表示画像には、反射光により手垢・手油による汚れが認識し易い明度が十分に低い色の画像である図４（ｄ・ｅ）黒一色等の画像を表示する。
【００１８】
次にステップ１１１でタッチパネル付き液晶４への連続押下が一定時間以上無かったかにより清掃を終了したか判断を行う。ステップ１１２で清掃モード表示を通常画像表示を解除し通常画像表示を行う。そして、ステップ１１３で禁止していたタッチパネル付き液晶パネルからの操作を受け付けるようにして、ステップ１１４で通常動作に戻る。
【００１９】
本実施例では、一例として、水滴清掃モード用の表示画像を明度が高い図４（ａ）白一色の画像や図４（ｂ・ｃ）縦や横のストライプ状の白黒画像としているが、タッチパネル付き液晶パネル４のバックライト輝度を上げ明度を上げても良い。また、汚れ清掃モード用の表示画像は、明度の低い図４（ｄ・ｅ）黒一色等の暗い画像を表示しているが、バックライト輝度を下げる。もしくは、消灯し明度を下げても良い。さらに液晶駆動のガンマカーブを変更することにより明度を上下しても良い。
【符号の説明】
【００２０】
１          デジタルカメラ本体
２          電源ＳＷ
３          レリーズＳＷ
４          タッチパネル付き液晶パネル
１１        電源供給部
１２        ＣＰＵ
１３        撮像部
１４        画像処理部
１５        記憶部
１６        液晶表示部
１７        タッチパネル操作部液晶表示部
１８        操作部
【図１】
2014052752.tif 000003
【図２】
2014052752.tif 000004
【図３】
2014052752.tif 000005
【図４】
2014052752.tif 000006